【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
少なくとも６個以上の複数の薄板を含む携帯型端末装置であって、
隣接しているもの同士が互いに折り曲げ方向と直交する方向から見たときの複数の薄板全体の側面が略ジクザグ状となるように折り曲げ可能に且つ折り畳み可能に接続された３個以上の薄板から成る第１の薄板群であって、その中の全部又は一部の複数の薄板が互いに協働して「電子ペーパーなどのフレキシブルな薄型表示装置により形成される一つの画面」をユーザーに対向するように支持するために使用される第１の薄板群と、
隣接しているもの同士が互いに折り曲げ方向と直交する方向から見たときの複数の薄板全体の側面が略ジクザグ状となるように折り曲げ可能に且つ折り畳み可能に接続された３個以上の薄板から成る第２の薄板群であって、その中の全部又は一部の複数の薄板が互いに協働して「電子ペーパーなどのフレキシブルな薄型表示装置により形成される一つの画面」をユーザーに対向するように支持するために使用される第２の薄板群と、
前記第１の薄板群の３個以上の薄板の端部と前記第２の薄板群の３個以上の薄板の端部とが互いに近接するように接続すると共に、前記第１の薄板群と前記第２の薄板群とをそれらの全部又は一部を展開したときの平面が同一平面上になるように且つ互いの平面が近づく方向に折り曲げられるように接続するための折り曲げ接続手段と、
前記第１の薄板群と前記第２の薄板群とを、両者に含まれる薄板の全部を展開したときの平面の全体のほぼ中心部又はその近傍を支点として、一方が他方に対して少なくとも約１８０度回動可能に接続するための回動接続手段と、
を含むことを特徴とする携帯型端末装置。
【請求項２】
少なくとも１６個以上の複数の薄板を含む携帯型端末装置であって、
互いに上下又は左右方向に配置され隣接しているもの同士が互いに折り曲げ可能に且つ折り畳み可能に接続された８個以上の薄板から成る第１の薄板群であって、その中の全部又は一部の複数の薄板が互いに協働して「電子ペーパーなどのフレキシブルな薄型表示装置により形成される一つの画面」をユーザーに対向するように支持するために使用される第１の薄板群と、
互いに上下又は左右方向に配置され隣接しているもの同士が互いに折り曲げ可能に且つ折り畳み可能に接続された８個以上の薄板から成る第２の薄板群であって、その中の全部又は一部の複数の薄板が互いに協働して「電子ペーパーなどのフレキシブルな薄型表示装置により形成される一つの画面」をユーザーに対向するように支持するために使用される第２の薄板群と、
前記第１の薄板群の４個以上の薄板の端部と前記第２の薄板群の４個以上の薄板の端部とが互いに近接するように接続すると共に、前記第１の薄板群と前記第２の薄板群とをそれらの全部又は一部を展開したときの平面が同一平面上になるように且つ互いの平面が近づく方向に折り曲げられるように接続するための折り曲げ接続手段と、
前記第１の薄板群と前記第２の薄板群とを、両者に含まれる薄板の全部を展開したときの平面の全体のほぼ中心部又はその近傍を支点として、一方が他方に対して少なくとも約１８０度回動可能に接続するための回動接続手段と、
を含むことを特徴とする携帯型端末装置。
【請求項３】
少なくとも８個以上の複数の薄板を含む携帯型端末装置であって、
互いに上下又は左右方向に配置され隣接しているもの同士が互いに折り曲げ可能に且つ折り畳み可能に接続された４個以上の薄板から成る第１の薄板群であって、その中の全部又は一部の複数の薄板が互いに協働して「電子ペーパーなどのフレキシブルな薄型表示装置により形成される一つの画面」をユーザーに対向するように支持するために使用される第１の薄板群と、
互いに上下又は左右方向に配置され隣接しているもの同士が互いに折り曲げ可能に且つ折り畳み可能に接続された４個以上の薄板から成る第２の薄板群であって、その中の全部又は一部の複数の薄板が互いに協働して「電子ペーパーなどのフレキシブルな薄型表示装置により形成される一つの画面」をユーザーに対向するように支持するために使用される第２の薄板群と、
前記第１の薄板群の２個以上の薄板の端部と前記第２の薄板群の２個以上の薄板の端部とが互いに近接するように接続すると共に、前記第１の薄板群と前記第２の薄板群とをそれらの全部又は一部を展開したときの平面が同一平面上になるように且つ互いの平面が近づく方向に折り曲げられるように接続するための折り曲げ接続手段と、
前記第１の薄板群と前記第２の薄板群とを、両者に含まれる薄板の全部を展開したときの平面の全体のほぼ中心部又はその近傍を支点として、一方が他方に対して少なくとも約１８０度回動可能に接続するための回動接続手段と、
を含むことを特徴とする携帯型端末装置。
【請求項４】
少なくとも６個以上の複数の薄板を含む携帯型端末装置であって、
隣接しているもの同士が互いに折り曲げ方向と直交する方向から見たときの複数の薄板全体の側面が略ジクザグ状となるように折り曲げ可能に且つ折り畳み可能に接続された３個以上の薄板から成る第１の薄板群であって、その中の全部又は一部の複数の薄板が互いに協働して「一つの画面」をユーザーに提供するために使用される第１の薄板群と、
隣接しているもの同士が互いに折り曲げ方向と直交する方向から見たときの複数の薄板全体の側面が略ジクザグ状となるように折り曲げ可能に且つ折り畳み可能に接続された３個以上の薄板から成る第２の薄板群であって、その中の全部又は一部の複数の薄板が互いに協働して「一つの画面」をユーザーに提供するために使用される第２の薄板群と、
前記第１の薄板群の３個以上の薄板の端部と前記第２の薄板群の３個以上の薄板の端部とが互いに近接するように接続すると共に、前記第１の薄板群と前記第２の薄板群とをそれらの全部又は一部を展開したときの平面が同一平面上になるように且つ互いの平面が近づく方向に折り曲げられるように接続するための折り曲げ接続手段と、
前記第１の薄板群と前記第２の薄板群とを、両者に含まれる薄板の全部を展開したときの平面の全体のほぼ中心部又はその近傍を支点として、一方が他方に対して少なくとも約１８０度回動可能に接続するための回動接続手段と、
を含むことを特徴とする携帯型端末装置。
【請求項５】
少なくとも１６個以上の複数の薄板を含む携帯型端末装置であって、
互いに上下又は左右方向に配置され隣接しているもの同士が互いに折り曲げ可能に且つ折り畳み可能に接続された８個以上の薄板から成る第１の薄板群であって、その中の全部又は一部の複数の薄板が互いに協働して「一つの画面」をユーザーに提供するために使用される第１の薄板群と、
互いに上下又は左右方向に配置され隣接しているもの同士が互いに折り曲げ可能に且つ折り畳み可能に接続された８個以上の薄板から成る第２の薄板群であって、その中の全部又は一部の複数の薄板が互いに協働して「一つの画面」をユーザーに提供するために使用される第２の薄板群と、
前記第１の薄板群の４個以上の薄板の端部と前記第２の薄板群の４個以上の薄板の端部とが互いに近接するように接続すると共に、前記第１の薄板群と前記第２の薄板群とをそれらの全部又は一部を展開したときの平面が同一平面上になるように且つ互いの平面が近づく方向に折り曲げられるように接続するための折り曲げ接続手段と、
前記第１の薄板群と前記第２の薄板群とを、両者に含まれる薄板の全部を展開したときの平面の全体のほぼ中心部又はその近傍を支点として、一方が他方に対して少なくとも約１８０度回動可能に接続するための回動接続手段と、
を含むことを特徴とする携帯型端末装置。
【請求項６】
少なくとも８個以上の複数の薄板を含む携帯型端末装置であって、
互いに上下又は左右方向に配置され隣接しているもの同士が互いに折り曲げ可能に且つ折り畳み可能に接続された４個以上の薄板から成る第１の薄板群であって、その中の全部又は一部の複数の薄板が互いに協働して「一つの画面」をユーザーに提供するために使用される第１の薄板群と、
互いに上下又は左右方向に配置され隣接しているもの同士が互いに折り曲げ可能に且つ折り畳み可能に接続された４個以上の薄板から成る第２の薄板群であって、その中の全部又は一部の複数の薄板が互いに協働して「一つの画面」をユーザーに提供するために使用される第２の薄板群と、
前記第１の薄板群の２個以上の薄板の端部と前記第２の薄板群の２個以上の薄板の端部とが互いに近接するように接続すると共に、前記第１の薄板群と前記第２の薄板群とをそれらの全部又は一部を展開したときの平面が同一平面上になるように且つ互いの平面が近づく方向に折り曲げられるように接続するための折り曲げ接続手段と、
前記第１の薄板群と前記第２の薄板群とを、両者に含まれる薄板の全部を展開したときの平面の全体のほぼ中心部又はその近傍を支点として、一方が他方に対して少なくとも約１８０度回動可能に接続するための回動接続手段と、
を含むことを特徴とする携帯型端末装置。
【請求項７】
請求項４，５又は６において、
前記第１の薄板群又は第２の薄板群の全部又は一部を構成する複数の薄板には、複数の薄板にまたがって備えられる一枚の画面表示用シートであって電子ペーパーなどのフレキシブルな素材により構成される折り曲げ又は折り畳み可能な一枚の画面表示用シートが備えられている、ことを特徴とする携帯型端末装置。
【請求項８】
請求項４，５，６又は７において、さらに、
前記第１の薄板群又は前記第２の薄板群の前記「一つの画面」を提供する側の裏側の面の全部又は一部には、キーボード又はタッチパネルなどのデータ入力部が備えられている、ことを特徴とする携帯型端末装置。
【請求項９】
請求項４から８までのいずれかにおいて、さらに、
前記第１の薄板群又は前記第２の薄板群の前記「一つの画面」を提供する側の裏側の面の一部には、遠隔地の他人と会話するためのマイク又はイヤホンを含むスピーカが備えられている、ことを特徴とする携帯型端末装置。